(57)【要約】      （修正有）【課題】不注意から哺乳瓶を落して瓶本体が破裂しても、破裂したガラスが保護カバー本体外に飛散することがなく、乳幼児を傷つけず、安全及び断熱の目的を達成する、哺乳瓶の保護カバーを提供する。【解決手段】ニップル２３をヘッドカバー１２の上端の取り付け孔１２２に挿入し、さらに瓶口２１の雄ネジをヘッドカバーの雌ネジと螺合し、最後に保護カバー本体１１をヘッドカバー１２と螺合して位置決めし、保護カバー本体１１と瓶本体２との間にギャップを形成し、保護カバー本体と瓶体内部の液体を遮断する。これにより、手で保護カバー本体を持っても火傷せず、不注意から哺乳瓶を落して瓶本体が破裂しても、破裂したガラスが保護カバー本体外に飛散することがなく、乳幼児を傷つけず、安全と断熱の目的を達成する。【選択図】図１
0003176494.tif 000002
【実用新案登録請求の範囲】
【請求項１】
保護カバー付き哺乳瓶において、
哺乳瓶の瓶本体であって、上端の瓶口の外周に雄ネジが設けられた、上記瓶本体と、
ヘッドカバーであって、上端内側に、該瓶口の外周の雄ネジに螺合される雌ネジが設けられ、上端に取り付け孔が設けられ、底部内周に雌ネジが設けられた、上記ヘッドカバーと、
ニップルであって、該ヘッドカバーの上端の該取り付け孔に取り付けられる、上記ニップルと、
保護カバー本体であって、上部外周に、該ヘッドカバーの底部内周の雌ネジと螺合する雄ネジが設けられ、該ヘッドカバーと螺合により組み合わされて、該瓶本体を底部より被覆する、上記保護カバー本体と、
を包含し、該ニップルが該ヘッドカバーの上端の該取り付け孔に取り付けられ、さらに該ヘッドカバーの上端内側の雌ネジに該瓶本体の瓶口外周の雄ネジが螺合され、最後に該保護カバー本体が該ヘッドカバーの底部内周の雌ネジに螺合され、該ヘッドカバーにより該哺乳瓶が位置決めされ、該保護カバー本体と該瓶本体の間にギャップが形成されることで、哺乳瓶内部の液体が該保護カバー本体により遮断され、哺乳瓶落下時に該瓶本体が破裂しても、破片が該保護カバー本体外に飛散することがないことを特徴とする、保護カバー付き哺乳瓶。
【請求項２】
請求項１記載の保護カバー付き哺乳瓶において、該ヘッドカバーの該取り付け孔の規格が国際標準規格のニップル規格寸法に符合することを特徴とする、保護カバー付き哺乳瓶。
【請求項３】
請求項１記載の保護カバー付き哺乳瓶において、該ヘッドカバーの上端内側に設けられる雌ネジの規格が、国際標準規格の哺乳瓶の瓶本体の瓶口の雄ネジに符合することを特徴とする、保護カバー付き哺乳瓶。
【請求項４】
保護カバー付き哺乳瓶において、
哺乳瓶の瓶本体であって、上端の瓶口の外周に雄ネジが設けられ、瓶本体の底部に底瓶口が設けられた、上記瓶本体と、
該底瓶口に取り付けられる通気性素子と、
ヘッドカバーであって、上端内側に、該瓶口の外周の雄ネジに螺合される雌ネジが設けられ、上端に取り付け孔が設けられ、底部内周に雌ネジが設けられた、上記ヘッドカバーと、
ニップルであって、該ヘッドカバーの上端の該取り付け孔に取り付けられる、上記ニップルと、
保護カバー本体であって、上部外周に、該ヘッドカバーの底部内周の雌ネジと螺合する雄ネジが設けられて、該ヘッドカバーと螺合により組み合わされて、該瓶本体を底部より被覆する、上記保護カバー本体と、
を包含し、該ヘッドカバーにより哺乳瓶が位置決めされ、該保護カバー本体と該瓶本体の間にギャップが形成されて哺乳瓶内部の液体が該保護カバー本体により遮蔽され、哺乳瓶落下時に該瓶本体が破裂しても、破片が該保護カバー本体外に飛散することがなく、該通気性素子により外部空気の瓶本体内への進入を制御して哺乳瓶の内外気圧を平衡にし吸い出しやすくすることを特徴とする、保護カバー付き哺乳瓶。
【請求項５】
請求項４記載の保護カバー付き哺乳瓶において、該通気性素子はシリコンゴムで形成され、その周縁に該瓶本体の底瓶口と密着するフランジが形成され、該通気性素子の中央に円形凸部が設けられ、該円形凸部の中央に、十字型切り込み線で構成された通気孔が設けられることを特徴とする、保護カバー付き哺乳瓶。
【請求項６】
請求項４記載の保護カバー付き哺乳瓶において、該保護カバー本体の底端に通気のための通気孔が設けられたことを特徴とする、保護カバー付き哺乳瓶。
【考案の詳細な説明】
【技術分野】
【０００１】
本考案は保護カバー付き哺乳瓶に係り、哺乳瓶の瓶本体の外側に内径が僅かに該瓶本体より大きい保護カバーが組み合わされ、該保護カバーのヘッドカバーの上端に、国際標準規格のニップルを取り付けられる取り付け孔が設けられ、該ヘッドカバーの上端内側に、国際標準規格の哺乳瓶の瓶口の雄ネジに螺合する雌ネジが設けられ、ニップルと瓶本体が該保護カバー内に組み合わされ、保護カバーのヘッドカバーにより哺乳瓶が位置決めされ、保護カバー本体と瓶本体の間にギャップが形成され、瓶本体内の液体が保護カバー本体により遮断されて火傷を防止し、不注意から哺乳瓶を落して瓶本体が破裂しても、破裂したガラスが保護カバー本体外に飛散することがなく、乳幼児を傷つけず、安全及び断熱の目的を達成する、哺乳瓶の保護カバーに関する。
【背景技術】
【０００２】
伝統的な哺乳瓶はガラス製とプラスチック製に分けられ、周知のとおり、ガラス製哺乳瓶は、耐熱ガラス製で、使用寿命が長く、毒性がなく、一方プラスチック製哺乳瓶は、耐高温性に劣り、使用寿命が短く、有毒性である。このため、大多数の保護者は、乳幼児が自身で哺乳瓶を保持して歩けない発育段階では、ガラス製哺乳瓶を使用する。しかし、幼児段階になって、自身で哺乳瓶を持って歩き回れるまで発育すると、プラスチック製哺乳瓶の使用も可能であるが、耐高温性に劣り、使用寿命が短く、また有毒性であり、一方ガラス製哺乳瓶は落下した場合破裂し、破片が幼児或いは周りの者を傷つけることがあり、また、幼児がガラスの破片を口に入れる危険性もある。このような危険を回避するため、この発育段階では、ほとんどの保護者がプラスチック製哺乳瓶の使用に切り換えるが、プラスチック製哺乳瓶は大多数の保護者の望むものではない。
【考案の概要】
【考案が解決しようとする課題】
【０００３】
本考案の主要な目的は、哺乳瓶の瓶本体外側に、内径が瓶本体より僅かに大きい保護カバーを組合せ、ニップルと瓶本体を保護カバー内に組み合わせ、保護カバーのヘッドカバーにより哺乳瓶を位置決めし、保護カバー本体と哺乳瓶の瓶本体の間にギャップを形成し、瓶本体内の液体が保護カバー本体により遮断されて火傷を防止し、また不注意から哺乳瓶を落して瓶本体が破裂しても、破裂した破片が保護カバー本体外に飛散することがなく、破片が乳児を傷つけたり乳児が飲み込んだりする危険の発生を防止することにある。
【０００４】
本考案の次の目的は、瓶本体底部に底瓶口を設け、該底瓶口部分に通気性素子を組合せ、哺乳瓶を傾斜させて使用する場合に、瓶本体の内外の空気圧力が不平衡となることで、哺乳瓶外部の空気が通気性素子の通気孔を押し開いて瓶本体内に進入し、哺乳瓶の瓶本体の内外気圧の平衡を構成し、瓶本体内の液体をよどみなくニップルより吸い出せるようにすることにある。
本考案のさらにもう一つの目的は、哺乳瓶の瓶本体底部に底瓶口を設けて、内部の洗浄を容易とすることにある。
【課題を解決するための手段】
【０００５】
本考案は第１の実施態様において、保護カバー付き哺乳瓶を提供し、それは、
哺乳瓶の瓶本体であって、上端の瓶口の外周に雄ネジが設けられた、上記瓶本体と、
ヘッドカバーであって、上端内側に、該瓶口の外周の雄ネジに螺合される雌ネジが設けられ、上端に取り付け孔が設けられ、底部内周に雌ネジが設けられた、上記ヘッドカバーと、
ニップルであって、該ヘッドカバーの上端の該取り付け孔に取り付けられる、上記ニップルと、
保護カバー本体であって、上部外周に、該ヘッドカバーの底部内周の雌ネジと螺合する雄ネジが設けられて、該ヘッドカバーと螺合により組み合わされて、該瓶本体を底部より被覆する、上記保護カバー本体と、を包含し、該ニップルが該ヘッドカバーの上端の該取り付け孔に取り付けられ、さらに該ヘッドカバーの上端内側の雌ネジに該瓶本体の瓶口外周の雄ネジが螺合され、最後に該保護カバー本体が該ヘッドカバーの底部内周の雌ネジに螺合され、該ヘッドカバーにより該哺乳瓶が位置決めされ、該保護カバー本体と該瓶本体の間にギャップが形成されることで、哺乳瓶内部の液体が該保護カバー本体から遮断され、哺乳瓶落下時に該瓶本体が破裂しても、破片が該保護カバー本体外に飛散することがないことを特徴とする。
該第１の実施態様において、該ヘッドカバーの該取り付け孔の規格が国際標準規格のニップル規格寸法に符合する。
該第１の実施態様において、該ヘッドカバーの上端内側に設けられる雌ネジの規格が、国際標準規格の哺乳瓶の瓶本体の瓶口の雄ネジに符合する。
【０００６】
本考案は第２の実施態様において、他に保護カバー付き哺乳瓶を提供し、それは、
哺乳瓶の瓶本体であって、上端の瓶口の外周に雄ネジが設けられ、瓶本体の底部に底瓶口が設けられた、上記瓶本体と、
該底瓶口に取り付けられる通気性素子と、
ヘッドカバーであって、上端内側に、該瓶口の外周の雄ネジに螺合される雌ネジが設けられ、上端に取り付け孔が設けられ、底部内周に雌ネジが設けられた、上記ヘッドカバーと、
ニップルであって、該ヘッドカバーの上端の該取り付け孔に取り付けられる、上記ニップルと、
保護カバー本体であって、上部外周に、該ヘッドカバーの底部内周の雌ネジと螺合する雄ネジが設けられて、該ヘッドカバーと螺合により組み合わされて、該瓶本体を底部より被覆する、上記保護カバー本体と、を包含し、該ヘッドカバーにより哺乳瓶が位置決めされ、該保護カバー本体と該瓶本体の間にギャップが形成されて哺乳瓶内部の液体が該保護カバー本体により遮断され、哺乳瓶落下時に該瓶本体が破裂しても、破片が該保護カバー本体外に飛散することがなく、該通気性素子により外部空気の瓶本体内への進入を制御して哺乳瓶の内外気圧を平衡として吸い出しやすくすることを特徴とする。
該第２の実施態様において、該通気性素子はシリコンゴムで形成され、その周縁に該瓶本体の底瓶口と密着するフランジが形成され、該通気性素子の中央に円形凸部が設けられ、該円形凸部の中央に、十字型切り込み線で構成された通気孔が設けられる。
該第２の実施態様において、該保護カバー本体の底端に通気のための通気孔が設けられる。
【考案の効果】
【０００７】
本考案は、哺乳瓶内部の液体を遮断して火傷を防止し、哺乳瓶を落しても破裂しにくく、破裂した場合も、破片が露出して乳幼児を傷つけることがなく且つ洗浄しやすい効果を有する。
【図面の簡単な説明】
【０００８】
【図１】本考案の好ましい実施例の立体分解図である。
【図２】本考案の組合せ断面図である。
【図３】本考案の哺乳瓶を落して瓶本体が破裂した時の破片が保護カバー本体外に飛散することがない状態を示す断面図である。
【図４】本考案の別の実施例の立体分解図である。
【図５】本考案の別の実施例の組合せ断面図である。
【考案を実施するための形態】
【０００９】
図１、図２および図３を参照されたい。本考案の保護カバー付き哺乳瓶は、哺乳瓶（２）の瓶本体外に、内径が該瓶本体より僅かに大きい保護カバー（１）が嵌合される。
【００１０】
該保護カバー（１）は保護カバー本体（１１）と該保護カバー本体（１１）の上端に螺合されるヘッドカバー（１２）を包含する。該保護カバー本体（１１）の上部外周には雄ネジ（１１１）が設けられ、該ヘッドカバー（１２）の底部内周には雌ネジ（１２１）が設けられ、これにより該保護カバー本体（１１）と該ヘッドカバー（１２）が螺合により組み合わされる。
【００１１】
該ヘッドカバー（１２）の上端には、国際標準規格のニップル（２３）を取り付けられる取り付け孔（１２２）が設けられ、並びに該ヘッドカバー（１２）の上端内縁に、国際標準規格の哺乳瓶（２）の瓶口（２１）外周の雄ネジ（２２）に対応する雌ネジ（１２３）が設けられ、これにより該ヘッドカバー（１２）が任意の、瓶口（２１）の雄ネジ（２２）が国際標準規格である哺乳瓶（２）に螺合される。
【００１２】
該ニップル（２３）がまず、ヘッドカバー（１２）上端の取り付け孔（１２２）に取り付けられ、さらに哺乳瓶（２）の瓶口（２１）の雄ネジ（２２）とヘッドカバー（１２）の雌ネジ（１２３）が螺合され、最後に保護カバー本体（１１）とヘッドカバー（１２）が螺合される。
【００１３】
ヘッドカバー（１２）により哺乳瓶（２）が位置決めされることで、保護カバー本体（１１）と哺乳瓶（２）の瓶本体の間にギャップが形成され、哺乳瓶（２）の瓶内部の液体が保護カバー本体により遮断されるため手で哺乳瓶（２）を持つ時は、保護カバー本体（１１）のみに接触するため、火傷することがなく、不注意から哺乳瓶（２）を落しても、保護カバー本体（１１）と哺乳瓶（２）の瓶本体の間にギャップが形成されているため、哺乳瓶（２）が破裂しにくく、万一哺乳瓶（２）の瓶本体が破裂した時も、破裂により発生する破片は保護カバー本体（１１）外に飛散することなく、破片が乳児を傷つけたり乳児が飲み込んだりする危険の発生を防止することができ、安全性と断熱の目的を達成する。
【００１４】
図４と図５に示されるのは、本考案のもう一つの実施例であり、それは、哺乳瓶（３）の瓶本体外側に、別に内径が該瓶本体より僅かに大きい保護カバー（１）が嵌合される。
【００１５】
該保護カバー（１）は保護カバー本体（１１）と該保護カバー本体（１１）の上端に螺合されるヘッドカバー（１２）を包含する。該保護カバー本体（１１）の上部外周には雄ネジ（１１１）が設けられ、該ヘッドカバー（１２）の底部内周には雌ネジ（１２１）が設けられ、これにより該保護カバー本体（１１）と該ヘッドカバー（１２）が螺合により組み合わされる。
【００１６】
該ヘッドカバー（１２）の上端には、国際標準規格のニップル（３４）を取り付けられる取り付け孔（１２２）が設けられ、並びに該ヘッドカバー（１２）の上端内縁に、国際標準規格の哺乳瓶（３）の瓶口（３１）外周の雄ネジ（３１１）に対応する雌ネジ（１２３）が設けられ、これにより該ヘッドカバー（１２）が任意の、瓶口（３１）の雄ネジ（３１１）が国際標準規格である哺乳瓶（３）に螺合される。
【００１７】
該哺乳瓶（３）の底部には底瓶口（３２）が設けられ、底瓶口（３２）部分に通気性素子（３３）が取り付けられ、該通気性素子（３３）はシリコンゴムで形成され、その周縁にフランジ（３３１）が形成されている。該通気性素子（３３）の中央には円形凸部（３３２）が設けられ、該円形凸部（３３２）の中央に、一字或いは十字形の切り込み線を有する通気孔（３３３）が設けられる。
【００１８】
該通気孔（３３３）は通常哺乳瓶（３）の瓶本体内外の気圧が平衡している時は、内部液体の重力により通気性素子（３３）が押され通気性素子（３３）の通気孔（３３３）が閉じた状態となる。哺乳瓶（３）が傾けられ、ニップル（３４）より吸引され瓶本体の内外の空気圧力が不平衡となるとき、哺乳瓶（３）の瓶本体外部の空気が通気性素子（３３）の通気孔（３３３）を押し開いて哺乳瓶（３）の瓶本体内に進入し、哺乳瓶（３）の瓶本体の内外気圧を平衡とし、哺乳瓶（３）の瓶本体内の液体がよどみなくニップル（３４）より吸い出される。
【００１９】
保護カバー本体（１１）底端には通気孔（１１２）が設けられて通気の目的を達成し、且つ前述の保護カバー（１）と哺乳瓶（３）の瓶本体の間にはギャップが形成されるため、哺乳瓶（３）の瓶本体内部の液体の温度は遮断され、手で哺乳瓶（３）を持つ時は、保護カバー（１）のみに接触するため、火傷することがなく、不注意から哺乳瓶（３）を落しても、保護カバー本体（１１）と哺乳瓶（３）の瓶本体の間にギャップが形成されているため、哺乳瓶（３）が破裂しにくく、万一哺乳瓶（３）の瓶本体が破裂した時も、破裂により発生する破片は保護カバー（１）本体外に飛散することがなく、破片が乳児を傷つけたり乳児が飲み込んだりする危険の発生を防止することができ、安全性と断熱の目的を達成する。
【００２０】
哺乳瓶（３）を洗う時は、通気性素子（３３）を取り外すことができ、瓶口（３１）及び底瓶口（３２）より瓶本体内部を隅々まで洗浄でき、且つ洗浄しやすくする目的を達成する。
【符号の説明】
【００２１】
１  保護カバー                        １１  保護カバー本体
１１１、２２、３１１  雄ネジ          １１２  通気孔
１２  ヘッドカバー                    １２１、１２３  雌ネジ
１２２  取り付け孔
２、３  哺乳瓶                        ２１、３１  瓶口
２３、３４  ニップル
３２  底瓶口                          ３３  通気性素子
３３１  フランジ                      ３３２  円形凸部
３３３  通気孔
【図１】
0003176494.tif 000003
【図２】
0003176494.tif 000004
【図３】
0003176494.tif 000005
【図４】
0003176494.tif 000006
【図５】
0003176494.tif 000007